(57)【要約】【課題】全方向に対し大きな強度を有し、しかも外観が無垢材で高級感があり、且つコストを低く抑えることが可能な、木質建材を提供する。【解決手段】芯材３はＬＶＬ３ａの積層方向（Ａ−Ｂ方向）とＬＶＬ３ｂ、３ｃの積層方向（Ｃ−Ｄ方向）が交差するように配置されているので、木質建材１を柱として用いた場合、この木質建材１を座屈させようとする力（Ａ−Ｂ方向の力）に対してはＬＶＬ３ｂ、３ｃが大きな強度を発揮し、木質建材１を横方向へ曲げようとする力（例えばＣ−Ｄ、Ｅ−Ｆ方向の力）に対してはＬＶＬ３ａが大きな強度を発揮する。従って、いわば全方向に対して大きな強度をもつ構造材を実現することができる。【選択図】  図２
2018053422.tif 000002
【特許請求の範囲】
【請求項１】
２つ以上のＬＶＬの接合により一体化してなる木質建材であって、
接合する一方のＬＶＬの積層方向と他方のＬＶＬの積層方向とが交差するよう配置されていることを特徴とする木質建材。
【請求項２】
請求項１の木質建材において、
ＬＶＬどうしの非接合面であるＬＶＬの外側の面を覆うように無垢板製の化粧板が貼られており、前記化粧板は間伐材等を加工して製作した板材の端面どうしを貼り合せて構成されていることを特徴とする木質建材。
【請求項３】
請求項１または２に記載した木質建材において、
化粧板の厚さ寸法は４５ｍｍ以上であることを特徴とする木質建材。
【請求項４】
請求項１から３のいずれかに記載した木質建材において、
柱、梁等の構造材であることを特徴とする木質建材。
【請求項５】
請求項２から４のいずれかに記載した木質建材において、
化粧板は板材どうしを貼り合せて幅広の原板を形成し、所定の幅寸法となるように切断して製作されていることを特徴とする木質建材。
【請求項６】
ＬＶＬの外側の面を覆うように貼る無垢板製の化粧板の製造方法であって、
間伐材等を加工して製作した板材の端面どうしを貼り合せて幅広の原板を形成し、前記原板を所定の幅寸法となるように切断して化粧板を製造することを特徴とする木質建材用化粧板の製造方法。
【発明の詳細な説明】
【技術分野】
【０００１】
本発明はＬＶＬ（Ｌａｍｉｎａｔｅｄ Ｖｅｎｅｅｒ Ｌｕｍｂｅｒ）を構成材とする木質建材に関するものである。
【背景技術】
【０００２】
ＬＶＬは薄い木板を積層して接着固定しているため、積層方向に直交する方向の力に対しては極めて大きな強度を発揮する。その一方で、積層方向の力に対しては比較的強度が小さい性質を有している。従って、例えば大面積の建築物においては２本一組でＬＶＬを使用し、一方のＬＶＬの積層方向の面と他方のＬＶＬの積層方向に直交する方向の面が対向するように隣接して配置することが行われる場合もある。
【０００３】
また、積層面がむき出しであることから見た目が悪いという欠点がある。そこで、特許文献１に示された木質建材はＬＶＬ等の少なくとも１面に、シラス等のシリカ系物質の粉末等の不燃材料とフェノール樹脂等のバインダーとからなる層を設けて見た目の向上を図ると共に耐火性を向上させている。
【先行技術文献】
【特許文献】
【０００４】
【特許文献１】特開平１０−２３７９８２号公報
【発明の概要】
【発明が解決しようとする課題】
【０００５】
しかしながら、ＬＶＬを２本一組で使用するとスペース上不利となり、内装が制限されてしまうことになる。
また、上記従来例の木質建材では無垢材に比べて高級感が乏しく、特にシラス等のシリカ系物質の粉末等の不燃材料等によって外観が構成される木質建材では、梁、柱に使用すると、かなり違和感のある内装となってしまう。一方、無垢材は価格が高く、無垢材によって大型のＬＶＬ全体を覆うとコストがかなり嵩むという問題点がある。
本発明は上記従来の問題点に着目して為されたものであり、全方向に対し大きな強度を有し、しかも外観が無垢材で高級感があり、且つコストを低く抑えることが可能な木質建材の提供を、その目的とする。
【課題を解決するための手段】
【０００６】
本発明は上記課題を解決するためになされたものであり、請求項１の発明は、２つ以上のＬＶＬの接合により一体化してなる木質建材であって、接合する一方のＬＶＬの積層方向と他方のＬＶＬの積層方向とが交差するよう配置されていることを特徴とする木質建材である。
【０００７】
請求項２の発明は、請求項１の木質建材において、ＬＶＬどうしの非接合面であるＬＶＬの外側の面を覆うように無垢板製の化粧板が貼られており、前記化粧板は間伐材等を加工して製作した板材の端面どうしを貼り合せて構成されていることを特徴とする木質建材である。
【０００８】
請求項３の発明は、請求項１または２に記載した木質建材において、化粧板の厚さ寸法は４５ｍｍ以上であることを特徴とする木質建材である。
【０００９】
請求項４の発明は、請求項１から３のいずれかに記載した木質建材において、柱、梁等の構造材であることを特徴とする木質建材である。
【００１０】
請求項５の発明は、請求項２から４のいずれかに記載した木質建材において、化粧板は板材どうしを貼り合せて幅広の原板を形成し、所定の幅寸法となるように切断して製作されていることを特徴とする木質建材である。
【００１１】
請求項６の発明は、ＬＶＬの外側の面を覆うように貼る無垢板製の化粧板の製造方法であって、間伐材等を加工して製作した板材の端面どうしを貼り合せて幅広の原板を形成し、前記原板を所定の幅寸法となるように切断して化粧板を製造することを特徴とする木質建材用化粧板の製造方法である。
【発明の効果】
【００１２】
本発明の木質建材は全方向に対し大きな強度を有している。また、外観が無垢材で高級感があり、且つコストを低く抑えることが可能である。
【図面の簡単な説明】
【００１３】
【図１】本発明の実施の形態１に係る木質建材の斜視図である。
【図２】図１の木質建材の一部破断拡大斜視図である。
【図３】図１の木質建材の正面図である。
【図４】図１の木質建材を構成する化粧板の製造方法を説明するための図である。
【図５】図１の木質建材を構成する化粧板の製造方法を説明するための図である。
【図６】本発明の実施の形態２に係る一部破断拡大斜視図である。
【図７】図６の木質建材の正面図である。
【図８】本発明の実施の形態３に係る木質建材の正面図である。
【図９】図８の木質建材を構成する化粧板の製造方法を説明するための図である。
【図１０】本発明の実施の形態４に係る木質建材の正面図である。
【図１１】図１０の木質建材を構成する化粧板の製造方法を説明するための図である。
【発明を実施するための形態】
【００１４】
本発明の実施の形態１に係る木質建材１を図１〜図５にしたがって説明する。
木質建材１は柱用であり、四角柱状に形成されている。この木質建材１の寸法は次の通りである。
幅寸法Ｗ：２１０ｍｍ    幅寸法Ｈ：３６０ｍｍ    長さ寸法Ｌ：４ｍ
【００１５】
木質建材１は四角柱の芯材３と、この芯材３の上下左右の面を覆うように接着剤によって貼られた化粧板５ａ、５ｂ、５ｃ、５ｄとによって構成されている。
芯材３は厚さ寸法の大きい平板状のＬＶＬ３ａと、このＬＶＬ３ａの左右の面に接着剤によって貼られた比較的厚さ寸法の小さい平板状のＬＶＬ３ｂ、３ｃとによって構成されている。
【００１６】
すなわち、ＬＶＬ３ａの左右の側面にＬＶＬ３ｂ、３ｃの内側面が接合した状態で接着固定されて一体化している。そして、ＬＶＬ３ａの積層方向（Ａ−Ｂ方向）とＬＶＬ３ｂ、３ｃの積層方向（Ｃ−Ｄ方向）が交差するように配置されている。
また、化粧板５ａ、５ｂ、５ｃ、５ｄは、ＬＶＬ３ａとＬＶＬ３ｂ、３ｃとの非接合面である外側の面（上下左右の面）を覆うように貼られている。
図２に拡大して示す小口面には化粧板は貼られていないので、ＬＶＬ３ａの積層方向の面（木目の面）が露出し、ＬＶＬ３ｂ、３ｃの積層方向に直交する方向の面（薄板が配列された面）が露出している。
【００１７】
化粧板５ａ、５ｂの寸法は次の通りである。
厚さ寸法ｔ１：４５ｍｍ    幅寸法ｈ１：２１０ｍｍ
化粧板５ｃ、５ｄの寸法は次の通りである。
厚さ寸法ｔ１：４５ｍｍ    幅寸法ｈ２：２７０ｍｍ
ＬＶＬ３ａの寸法は次の通りである。
厚さ寸法ｔ２：６０ｍｍ    幅寸法ｈ２：２７０ｍｍ
ＬＶＬ３ｂ、３ｃの寸法は次の通りである。
厚さ寸法ｔ３：３０ｍｍ    幅寸法ｈ２：２７０ｍｍ
化粧板５ａ、５ｂ、５ｃ、５ｄ、ＬＶＬ３ａ、３ｂ、３ｃの長さ寸法はいずれも４ｍである。
【００１８】
次に、化粧板５ａ、５ｂ、５ｃ、５ｄの製造方法を説明する。
間伐材等を加工して厚さ寸法４５ｍｍで長さ寸法が４ｍの板材を製作する。なお、この板材の幅寸法は一定でなくてもよい。そして、図４に示すように多数の板材の左右（幅方向）の両端面どうしを接着によって貼り合せて幅広の原板７を形成する。
次いで、同図において一点鎖線で示す部分において切断することで、図５に示すように化粧板５ａ、５ｂ、５ｃ、５ｄを得る。すなわち、原板７から幅寸法２１０ｍｍの板材、幅寸法２７０ｍｍの板材を２枚ずつ切り出す。
このように化粧板５ａ、５ｂ、５ｃ、５ｄを製作することで、原板７から無駄となる端切れ部分が生じるのをほぼ無くすことが可能となる。
木質建材１は外観部が無垢材によって構成されることから、梁、柱に使用しても高級感のある内装となる。しかも、原板７に無駄となる端切れ部分が生じないので、コストを低く抑えることが可能である。
【００１９】
また、芯材３はＬＶＬ３ａの積層方向（Ａ−Ｂ方向）とＬＶＬ３ｂ、３ｃの積層方向（Ｃ−Ｄ方向）が交差するように配置されているので、木質建材１を柱として用いた場合、この木質建材１を座屈させようとする力（Ａ−Ｂ方向の力）に対してはＬＶＬ３ｂ、３ｃが大きな強度を発揮し、木質建材１を横方向へ曲げようとする力（例えばＣ−Ｄ、Ｅ−Ｆ方向の力）に対してはＬＶＬ３ａが大きな強度を発揮する。従って、いわば全方向に対して大きな強度をもつ構造材を実現することができる。
しかも、芯材３の上下面と左右の面が厚さ寸法４５ｍｍの無垢板からなる化粧板５ａ、５ｂ、５ｃ、５ｄによって覆われているので、木質建材１は準耐火構造の建築物の構成材とすることが可能である。
【００２０】
本発明の実施の形態２に係る木質建材２を図６、図７にしたがって説明する。
木質建材２は実施の形態１に係る木質建材１と同様の構成部分を有するので、同様の構成部分については実施の形態１で用いた符号を付して、その説明を省略する。
【００２１】
木質建材２は四角柱の芯材４と、この芯材４の上下左右の面を覆うように接着剤によって貼られた化粧板５ａ、５ｂ、５ｃ、５ｄとによって構成されている。
ＬＶＬ４ａの左右の側面にＬＶＬ３ｂ、３ｃの内側面が接合した状態で接着固定されて一体化している。そして、ＬＶＬ４ａの積層方向（Ｅ−Ｆ方向）とＬＶＬ３ｂ、３ｃの積層方向（Ｃ−Ｄ方向）が交差するように配置されている。
【００２２】
図６に示す小口面ではＬＶＬ４ａは横目であることから積層方向に直交する方向の面（薄板が配列された面）が露出している。また、ＬＶＬ３ｂ、３ｃは積層方向に直交する方向の面（薄板が配列された面）が露出している。
【００２３】
また、芯材４はＬＶＬ４ａの積層方向（Ｅ−Ｆ方向）とＬＶＬ３ｂ、３ｃの積層方向（Ｃ−Ｄ方向）が交差するように配置されているので、木質建材２を柱として用いた場合、この木質建材２を座屈させようとする力（Ａ−Ｂ方向の力）に対してはＬＶＬ４ａ、３ｂ、３ｃが大きな強度を発揮し、木質建材２を横方向へ曲げようとする力（例えばＣ−Ｄ、Ｅ−Ｆ方向の力）に対してはＬＶＬ４ａが大きな強度を発揮する。従って、いわば全方向に対して大きな強度をもつ構造材を実現することができる。
【００２４】
本発明の実施の形態３に係る木質建材１１を図８、図９にしたがって説明する。
木質建材１１は梁用であり、四角柱状に形成されており、この木質建材１１の寸法は次の通りである。
幅寸法Ｗａ：１７０ｍｍ    幅寸法Ｈａ：３６０ｍｍ    長さ寸法：４ｍ
【００２５】
木質建材１１は縦目のＬＶＬによって構成される四角柱の芯材１３と、この芯材１３の上下面と左右の面を覆うように接着剤によって貼られた化粧板１５ａ、１５ｂ、１５ｃ、１５ｄとによって構成されている。
【００２６】
化粧板１５ａ、１５ｂの寸法は次の通りである。
厚さ寸法ｔ１ａ：４５ｍｍ    幅寸法ｈ１ａ：１７０ｍｍ
化粧板１５ｃ、１５ｄの寸法は次の通りである。
厚さ寸法ｔ１ａ：４５ｍｍ    幅寸法ｈ２ａ：２７０ｍｍ
ＬＶＬの寸法は次の通りである。
厚さ寸法ｔ２ａ：８０ｍｍ    幅寸法ｈ２ａ：２７０ｍｍ
化粧板１５ａ、１５ｂ、ＬＶＬの長さ寸法はいずれも４ｍである。
【００２７】
次に、化粧板１５ａ、１５ｂ、１５ｃ、１５ｄの製造方法を説明する。
間伐材等を加工して厚さ寸法４５ｍｍで長さ寸法が４ｍの板材を製作する。なお、この板材の幅寸法は一定でなくてもよい。そして、図９に示すように多数の板材の左右（幅方向）の両端面どうしを接着によって貼り合せて、実施の形態１と同様に幅広の原板７を形成する。
【００２８】
次いで、同図において一点鎖線で示す部分において切断することで、化粧板１５ａ、１５ｂ、１５ｃ、１５ｄを得る。すなわち、原板７から幅寸法１７０ｍｍの板材、幅寸法２７０ｍｍの板材を２枚ずつ切り出す。
このように化粧板１５ａ、１５ｂ、１５ｃ、１５ｄを製作することで、原板７から無駄となる端切れ部分が生じるのをほぼ無くすことが可能となる。
【００２９】
本発明の実施の形態４に係る木質建材２１を図１０、図１１にしたがって説明する。
木質建材２１は梁用であり、四角柱状に形成されており、この木質建材２１の寸法は次の通りである。
幅寸法Ｗｂ：１５０ｍｍ    幅寸法Ｈｂ：３６０ｍｍ    長さ寸法：４ｍ
木質建材２１は縦目のＬＶＬによって構成される四角柱の芯材２３と、この芯材２３の上下面と左右の面を覆うように接着剤によって貼られた化粧板２５ａ、２５ｂ、２５ｃ、２５ｄとによって構成されている。
【００３０】
化粧板２５ａ、２５ｂの寸法は次の通りである。
厚さ寸法ｔ１ｂ：４５ｍｍ    幅寸法ｈ１ｂ：６０ｍｍ
化粧板２５ｃ、２５ｄの寸法は次の通りである。
厚さ寸法ｔ１ｂ：４５ｍｍ    幅寸法ｈ２ｂ：３６０ｍｍ
ＬＶＬの寸法は次の通りである。
厚さ寸法ｔ２ｂ：６０ｍｍ    幅寸法ｈ２ｂ：２７０ｍｍ
化粧板２５ａ、２５ｂ、２５ｃ、２５ｄ、ＬＶＬの長さ寸法はいずれも４ｍである。
【００３１】
次に、化粧板２５ａ、２５ｂ、２５ｃ、２５ｄの製造方法を説明する。
間伐材等を加工して厚さ寸法４５ｍｍで長さ寸法が４ｍの板材を製作する。なお、この板材の幅寸法は一定でなくてもよい。そして、図１１に示すように多数の板材の左右（幅方向）の両端面どうしを接着によって貼り合せて、実施の形態１と同様に幅広の原板７を形成する。そして、同図において一点鎖線で示す部分において切断することで、化粧板２５ａ、２５ｂ、２５ｃ、２５ｄを得る。
【００３２】
以上、本発明の実施の形態について詳述してきたが、具体的構成は、この実施の形態に限られるものではなく、本発明の要旨を逸脱しない範囲における設計の変更などがあっても発明に含まれる。
例えば、木質建材、芯材及び化粧板の各寸法は上記実施の形態に示したものに限定されない。
【産業上の利用可能性】
【００３３】
本発明は木質建材製造業、建築業において利用可能性を有する。
【符号の説明】
【００３４】
１…木質建材    ２…木質建材    ３…芯材      ３ａ、３ｂ、３ｃ…ＬＶＬ
４…芯材        ４ａ…ＬＶＬ    ５ａ、５ｂ、５ｃ、５ｄ…化粧板
７…原板      １１…木質建材  １３…芯材
１５ａ、１５ｂ、１５ｃ、１５ｄ…化粧板        ２１…木質建材
２３…芯材      ２５ａ、２５ｂ、２５ｃ、２５ｄ…化粧板
【図１】
2018053422.tif 000003
【図２】
2018053422.tif 000004
【図３】
2018053422.tif 000005
【図４】
2018053422.tif 000006
【図５】
2018053422.tif 000007
【図６】
2018053422.tif 000008
【図７】
2018053422.tif 000009
【図８】
2018053422.tif 000010
【図９】
2018053422.tif 000011
【図１０】
2018053422.tif 000012
【図１１】
2018053422.tif 000013